【事件の表示】
　特願２０１４−１７１３７１「携帯端末装置及びその測位結果取得間隔設定方法」拒絶査定不服審判事件〔平成２７年　２月　５日出願公開、特開２０１５−　２５８１０〕について、次のとおり審決する。
【結　論】
　本件審判の請求は、成り立たない。
【理　由】
第１　手続の経緯
　本願は、平成２０年２月６日を出願日（優先権主張　平成１９年２月７日（以下、「優先日」という。）　日本）とする特願２００８−５５８０６２号の一部を、平成２６年８月２６日に特許法第４４条第１項の規定により新たな特許出願（特願２０１４−１７１３７１号）としたものであって、平成２７年４月２４日付けで拒絶理由が通知され、同年７月２２日付けで明細書及び特許請求の範囲についての補正（以下、「補正１」という。）がなされ、同年１２月１６日付け（送達日：同年同月２２日）で拒絶査定がなされた。
　これに対し、平成２８年３月１８日に拒絶査定不服審判が請求されると同時に、明細書、特許請求の範囲についての補正（以下、「本件補正」という。）がなされた。
　
第２　補正却下の決定
［結論］
　本件補正を却下する。
　
［理由］
１　補正の内容
　本件補正は、特許請求の範囲を次のとおり補正することを含むものである。
　
（本件補正前）
「【請求項１】
　使用者に携帯される携帯端末装置において、
　当該携帯端末装置の現在位置を測位する測位手段と、
　前記測位手段から測位結果を間欠的に取得するマイクロプロセッサと、
　当該携帯端末装置の電源としての電池と、
　前記電池の電力残量を検出する電池残量検出手段と、
　前記電池の電力残量と、前記マイクロプロセッサが前記測位手段から測位結果を取得する時間間隔と、を対応付けて記憶した記憶手段と、
　を備え、
　前記マイクロプロセッサは、前記電池残量検出手段による検出結果が小さい残量を示すときの方が、該検出結果が大きい残量を示すときよりも、前記測位手段から測位結果を取得する時間間隔が長くなるように、前記電力残量に応じた前記時間間隔の切り替えを行い、
　前記マイクロプロセッサは、前記記憶手段を参照することにより、前記電力残量に応じた前記時間間隔に設定することを特徴とする携帯端末装置。
　【請求項２】
　前記マイクロプロセッサは、前記測位手段から新たに取得した測位結果が示す現在位置が、前回取得した測位結果が示す現在位置から離れていた場合に、新たに取得した測位結果が示す現在位置と対応する地図情報を通信網を介して取得することを特徴とする請求項１記載の携帯端末装置。
　【請求項３】
　前記測位手段は、常に一定の時間間隔で当該携帯端末装置の現在位置を測位し、前記マイクロプロセッサから測位結果の取得要求を受けた場合には最新の測位結果を前記マイクロプロセッサに出力することを特徴とする請求項１又は２記載の携帯端末装置。
　【請求項４】
　前記測位手段は、前記マイクロプロセッサから測位結果の取得要求を受けた場合に、当該携帯端末装置の現在位置を測位し、その測位結果を前記マイクロプロセッサに出力することを特徴とする請求項１乃至３の何れか一項に記載の携帯端末装置。
　【請求項５】
　前記測位手段はＧＰＳ方式で当該携帯端末装置の現在位置を測位することを特徴とする請求項１乃至４の何れか一項に記載の携帯端末装置。
　【請求項６】
　当該携帯端末装置は携帯電話機であることを特徴とする請求項１乃至５の何れか一項に記載の携帯端末装置。
　【請求項７】
　現在位置を測位する測位手段と、前記測位手段から測位結果を間欠的に取得するマイクロプロセッサと、を備え、使用者に携帯される携帯端末装置において、前記マイクロプロセッサが前記測位手段から測位結果を取得する時間間隔を設定する方法であって、
　前記携帯端末装置が電源として備える電池の電力残量を検出する第１の過程と、
　前記第１の過程による検出結果が小さい残量を示すときの方が、該検出結果が大きい残量を示すときよりも、前記マイクロプロセッサが前記測位手段から測位結果を取得する時間間隔が長くなるように、前記電力残量に応じて前記時間間隔を設定する第２の過程と、
を備えることを特徴とする携帯端末装置における測位結果取得間隔設定方法。」
　
（本件補正後）
「【請求項１】
　使用者に携帯される携帯端末装置において、
　当該携帯端末装置の現在位置を測位する測位手段と、
　前記測位手段から測位結果を間欠的に取得するマイクロプロセッサと、
　当該携帯端末装置の電源としての電池と、
　前記電池の電力残量を検出する電池残量検出手段と、
　前記電池の電力残量と、前記マイクロプロセッサが前記測位手段から測位結果を取得する時間間隔と、を対応付けて記憶した記憶手段と、
　を備え、
　前記マイクロプロセッサは、前記電池残量検出手段による検出結果が小さい残量を示すときの方が、該検出結果が大きい残量を示すときよりも、前記測位手段から測位結果を取得する時間間隔が長くなるように、前記電力残量に応じた前記時間間隔の切り替えを行い、
　前記マイクロプロセッサは、前記記憶手段を参照することにより、前記電力残量に応じた前記時間間隔に設定
し、
　
前記測位手段は、前記携帯端末装置の現在位置をＧＰＳ方式で測位するＧＰＳモジュール、前記携帯情報端末装置の現在位置を前記携帯端末装置の移動速度に基づいて演算する加速度センサであって、
　
前記加速度センサは、前記携帯端末装置の現在位置を継続的に演算
　【請求項２】
　現在位置を
ＧＰＳ方式で
ＧＰＳモジュール
現在位置を携帯端末装置の移動速度に基づいて演算する加速度センサと、
ＧＰＳモジュール
とともに、前記加速度センサにより演算された演算結果を取得する
　前記携帯端末装置が電源として備える電池の電力残量を検出する第１の過程と、
　前記第１の過程による検出結果が小さい残量を示すときの方が、該検出結果が大きい残量を示すときよりも、前記マイクロプロセッサが前記測位手段から測位結果を取得する時間間隔が長くなるように、前記電力残量に応じて前記時間間隔を設定する第２の過程と、
　
前記加速度センサに前記携帯端末装置の現在位置を継続的に演算させる第３の過程と
を備えることを特徴とする携帯端末装置における測位結果取得間隔設定方法。」
（下線は補正箇所。） 
　
２　新規事項
　本件補正後の請求項２に記載された「現在位置をＧＰＳ方式で測位するＧＰＳモジュールと、現在位置を携帯端末装置の移動速度に基づいて演算する加速度センサと、前記ＧＰＳモジュールから測位結果を間欠的に取得するとともに、前記加速度センサにより演算された演算結果を取得するマイクロプロセッサと、を備え」は、願書に最初に添付した明細書、特許請求の範囲又は図面（以下。「当初明細書等」という。）に記載されていない。
　審判請求書の【請求の理由】「（３）本願発明が特許されるべき理由」「（ｂ）補正の根拠の明示」において、請求人が補正の根拠として挙げる当初明細書等の明細書段落【０１０１】には「また、上記の各実施形態では、ＧＰＳ方式で携帯端末装置（携帯電話機）の現在位置を測位する例を説明したが、
その他の方式で測位を行うようにしても良い
或いは
ともに
　そうすると、本件補正のうち、請求項２（本件補正前の請求項７に対応する）についてした補正は、当初明細書等の記載を総合することにより導かれる技術事項との関係において、新たな技術事項を導入するものであるから、本件補正は、当初明細書等の記載の範囲内においてしたものとはいえない。
　
３　まとめ
　したがって、本件補正は、特許法第１７条の２第３項の規定に違反するものであるから、同法第１５９条第１項において読み替えて準用する同法第５３条第１項の規定により却下すべきものである。
　
第３　本願発明について
１　本願発明
　本件補正は上記のとおり却下されたので、本願の請求項１ないし７に係る発明は、補正１によって補正された特許請求の範囲の請求項１ないし７に記載された事項により特定されるとおりのものと認められるところ、その請求項７に係る発明は次のとおりである。
　
「現在位置を測位する測位手段と、前記測位手段から測位結果を間欠的に取得するマイクロプロセッサと、を備え、使用者に携帯される携帯端末装置において、前記マイクロプロセッサが前記測位手段から測位結果を取得する時間間隔を設定する方法であって、
　前記携帯端末装置が電源として備える電池の電力残量を検出する第１の過程と、
　前記第１の過程による検出結果が小さい残量を示すときの方が、該検出結果が大きい残量を示すときよりも、前記マイクロプロセッサが前記測位手段から測位結果を取得する時間間隔が長くなるように、前記電力残量に応じて前記時間間隔を設定する第２の過程と、
を備えることを特徴とする携帯端末装置における測位結果取得間隔設定方法。」（以下、「本願発明」という。）
　
２　原査定の拒絶の理由
　原査定の拒絶の理由は、概略、この出願の請求項７に係る発明は、その優先日前に日本国内又は外国において、頒布された刊行物である特開２００４−２３３１５０号公報（以下、「引用例」という。）に記載された発明であるから、特許法第２９条第１項第３号に該当し、特許を受けることができない、というものである。
　
３　引用例記載の事項・引用発明
（１）記載事項　
　原査定の拒絶の理由に引用された引用例（特開２００４−２３３１５０号公報）には、図面とともに、次の事項（ａ）ないし（ｃ）が記載されている。なお、下線は当審が付与した。 
　
（ａ）
「［第２の実施形態］
図５は、本実施形態の携帯電話の構成を示す。図５に示す
携帯電話
バス１０に接続されたＣＰＵ１１
ＧＰＳブロック１８（ＧＰＳデコーダ１６、ＧＰＳ無線部１７）
　
（ｂ）
「【００４９】
図６は、本実施形態におけるバッテリ電圧と上記連続測位の間隔との関係を説明するものである。
【００５０】
図６において、本実施形態は、バッテリ電圧に基づいて電圧レベルを３つに分け、所定の時間間隔毎の測位、すなわちインターバル測位を行う場合に、それぞれの電圧レベルに応じて測位間隔を変更するものである。具体的には、バッテリ電圧Ｖがｘ以上（Ｖ≧ｘ）のときは、あらかじめ設定する測位間隔を維持し、バッテリ電圧Ｖがｘより小さく且つｙ以上（ｘ＞Ｖ≧ｙ）のときは、測位間隔がＣ時間より短く設定されていればその測位間隔をＣ時間に変更し、Ｃ時間より長く設定されていればその測位間隔を維持し、バッテリ電圧Ｖがｙより小さい（ｙ＞Ｖ）場合は、測位間隔がＤ時間より短く設定されていればその測位間隔をＤ時間に変更し、Ｄ時間より長く設定されていればその測位間隔を維持する（ｙ＞Ｖの場合、あらかじめ設定した測位間隔に係わらずＤ時間に変更してもよい）。ここでは、Ｃ時間、Ｄ時間を具体的には定めないが、
Ｄ＞Ｃとする
　
（ｃ）
「【００５１】
図７は、本実施形態の動作を説明するフローチャートである。図７に示す
処理は、ＣＰＵ１１がＲＯＭ１２に格納された制御プログラム１２ｂを実行することにより行われる。
【００５２】
まず、
ユーザ入力部１４によりインターバル測位の開始要求が出され（ステップＳ２１）、インターバル測位終了条件および測位間隔の設定（ステップＳ２２）が行われる
その設定後、ＧＰＳ無線部１７によりＧＰＳ電波信号が受信され測位が行われる（ステップＳ２３）
受信された電波信号から、ＧＰＳデコーダ１６によるデコード処理により現在地の緯度、経度データが得られる
ＣＰＵ１１は、得られた現在地の緯度、経度データを確認し、ＲＡＭ１３に保持し（ステップＳ２４）
【００５３】
測位結果を出力後、ＣＰＵ１１は、電源制御部１９を通してバッテリ２０のバッテリ電圧Ｖを確認し（ステップＳ２６）、バッテリ電圧Ｖがｘ以上（Ｖ≧ｘ）か否かを判定する（ステップＳ２７）
ＹＥＳ（Ｖ≧ｘである）の場合は、バッテリ電圧レベルは十分に残っていると判断し、現在の測位間隔の設定を変更することなく、インターバル測位の終了条件の満了判定を行う（ステップＳ２８）
ＮＯ（終了条件を満たしていない）の場合はタイマ２３の計時をスタートさせ（ステップＳ２９）、タイムアウトか否かを判定する（ステップＳ３０）
ＹＥＳ（タイムアウトである）と判定されると、ステップＳ２３に戻り再び測位を開始し、以後、上記と同様の処理を繰り返し実行する
【００５４】
一方、
上記ステップＳ２７の判定にてＮＯ、すなわちバッテリ電圧Ｖがｘより小さい（Ｖ＜ｘ）場合は、ＣＰＵ１１は、バッテリ電圧Ｖがｘより小さくｙ以上（ｘ＞Ｖ≧ｙ）かを判定する（ステップＳ３１）
ＹＥＳ（ｘ＞Ｖ≧ｙである）であれば、さらにインターバル測位の測位間隔がＣ時間より短く設定されいるか否かを判定する（ステップＳ３２）
ＹＥＳ（Ｃ時間より短い）であれば、測位間隔をＣ時間に変更し（ステップＳ３３）、上記ステップＳ２８以降の処理に移行する
【００５５】
また、上記ステップＳ３１の判定にてＮＯ、すなわちバッテリ電圧Ｖがｘより小さくｙ以上（ｘ＞Ｖ≧ｙ）の範囲に入っていない場合は、さらに測位間隔がＤ時間より短く設定されているか否かを判定する（ステップＳ３５）。
ＹＥＳ（Ｄ時間より短い）であれば、測位間隔をＤ時間に変更し（ステップＳ３５）、上記ステップＳ２８以降の処理に移行する
【００５６】
従って、本実施形態によれば、ＧＰＳ機能を用いてインターバル測位を行う場合であっても、
バッテリ残量に応じてインターバル測位の測位間隔を変更する
　
・上記記載（ａ）より、 
ア　「バス１０に接続されたＣＰＵ１１と、ＧＰＳブロック１８（ＧＰＳデコーダ１６、ＧＰＳ無線部１７）と、を備える、携帯電話」との技術的事項が読み取れる。 
　
・上記記載（ｂ）より、測位間隔のＣ時間とＤ時間の関係について
イ　「Ｄ＞Ｃとする」との技術的事項が読み取れる。
 　 
・上記記載（ｃ）より、 
ウ　「ＣＰＵ１１がＲＯＭ１２に格納された制御プログラム１２ｂを実行することにより、
　ユーザ入力部１４によりインターバル測位の開始要求が出され（ステップＳ２１）、インターバル測位終了条件および測位間隔の設定（ステップＳ２２）が行われ、その設定後、ＧＰＳ無線部１７によりＧＰＳ電波信号が受信され測位が行われ（ステップＳ２３）、受信された電波信号から、ＧＰＳデコーダ１６によるデコード処理により現在地の緯度、経度データが得られ、ＣＰＵ１１は、得られた現在地の緯度、経度データを確認し、ＲＡＭ１３に保持し（ステップＳ２４）、測位結果を出力後、ＣＰＵ１１は、電源制御部１９を通してバッテリ２０のバッテリ電圧Ｖを確認し（ステップＳ２６）、バッテリ電圧Ｖがｘ以上（Ｖ≧ｘ）か否かを判定し（ステップＳ２７）、ＹＥＳ（Ｖ≧ｘである）の場合は、バッテリ電圧レベルは十分に残っていると判断し、現在の測位間隔の設定を変更することなく、インターバル測位の終了条件の満了判定を行い（ステップＳ２８）、ＮＯ（終了条件を満たしていない）の場合はタイマ２３の計時をスタートさせ（ステップＳ２９）、タイムアウトか否かを判定し（ステップＳ３０）、ＹＥＳ（タイムアウトである）と判定されると、ステップＳ２３に戻り再び測位を開始し、以後、上記と同様の処理を繰り返し実行し、上記ステップＳ２７の判定にてＮＯ、すなわちバッテリ電圧Ｖがｘより小さい（Ｖ＜ｘ）場合は、ＣＰＵ１１は、バッテリ電圧Ｖがｘより小さくｙ以上（ｘ＞Ｖ≧ｙ）かを判定し（ステップＳ３１）、ＹＥＳ（ｘ＞Ｖ≧ｙである）であれば、さらにインターバル測位の測位間隔がＣ時間より短く設定されいるか否かを判定し（ステップＳ３２）、ＹＥＳ（Ｃ時間より短い）であれば、測位間隔をＣ時間に変更し（ステップＳ３３）、上記ステップＳ２８以降の処理に移行し、また、上記ステップＳ３１の判定にてＮＯ、すなわちバッテリ電圧Ｖがｘより小さくｙ以上（ｘ＞Ｖ≧ｙ）の範囲に入っていない場合は、さらに測位間隔がＤ時間より短く設定されているか否かを判定し（ステップＳ３５）、ＹＥＳ（Ｄ時間より短い）であれば、測位間隔をＤ時間に変更し（ステップＳ３５）、上記ステップＳ２８以降の処理に移行する、
という処理が行われ、バッテリ残量に応じてインターバル測位の測位間隔を変更する、処理方法」との技術的事項が読み取れる。 
　
（２）引用発明
　以上の技術的事項アないしウを総合勘案すると、引用例には次の発明が記載されているものと認められる。
　
「バス１０に接続されたＣＰＵ１１と、ＧＰＳブロック１８（ＧＰＳデコーダ１６、ＧＰＳ無線部１７）と、を備える、携帯電話において、
　ＣＰＵ１１がＲＯＭ１２に格納された制御プログラム１２ｂを実行することにより、
　ユーザ入力部１４によりインターバル測位の開始要求が出され（ステップＳ２１）、インターバル測位終了条件および測位間隔の設定（ステップＳ２２）が行われ、その設定後、ＧＰＳ無線部１７によりＧＰＳ電波信号が受信され測位が行われ（ステップＳ２３）、受信された電波信号から、ＧＰＳデコーダ１６によるデコード処理により現在地の緯度、経度データが得られ、ＣＰＵ１１は、得られた現在地の緯度、経度データを確認し、ＲＡＭ１３に保持し（ステップＳ２４）、測位結果を出力後、ＣＰＵ１１は、電源制御部１９を通してバッテリ２０のバッテリ電圧Ｖを確認し（ステップＳ２６）、バッテリ電圧Ｖがｘ以上（Ｖ≧ｘ）か否かを判定し（ステップＳ２７）、ＹＥＳ（Ｖ≧ｘである）の場合は、バッテリ電圧レベルは十分に残っていると判断し、現在の測位間隔の設定を変更することなく、インターバル測位の終了条件の満了判定を行い（ステップＳ２８）、ＮＯ（終了条件を満たしていない）の場合はタイマ２３の計時をスタートさせ（ステップＳ２９）、タイムアウトか否かを判定し（ステップＳ３０）、ＹＥＳ（タイムアウトである）と判定されると、ステップＳ２３に戻り再び測位を開始し、以後、上記と同様の処理を繰り返し実行し、上記ステップＳ２７の判定にてＮＯ、すなわちバッテリ電圧Ｖがｘより小さい（Ｖ＜ｘ）場合は、ＣＰＵ１１は、バッテリ電圧Ｖがｘより小さくｙ以上（ｘ＞Ｖ≧ｙ）かを判定し（ステップＳ３１）、ＹＥＳ（ｘ＞Ｖ≧ｙである）であれば、さらにインターバル測位の測位間隔がＣ時間より短く設定されいるか否かを判定し（ステップＳ３２）、ＹＥＳ（Ｃ時間より短い）であれば、測位間隔をＣ時間に変更し（ステップＳ３３）、上記ステップＳ２８以降の処理に移行し、また、上記ステップＳ３１の判定にてＮＯ、すなわちバッテリ電圧Ｖがｘより小さくｙ以上（ｘ＞Ｖ≧ｙ）の範囲に入っていない場合は、さらに測位間隔がＤ時間より短く設定されているか否かを判定し（ステップＳ３５）、ＹＥＳ（Ｄ時間より短い）であれば、測位間隔をＤ時間に変更し（ステップＳ３５）、上記ステップＳ２８以降の処理に移行する（Ｄ＞Ｃとする）、
という処理が行われ、バッテリ残量に応じてインターバル測位の測位間隔を変更する、ＣＰＵ１１での処理の方法」（以下、「引用発明」という。）
　
４　対比・判断
（１）本願発明と引用発明とを対比する。
　
ア　引用発明においては、「受信された電波信号から、ＧＰＳデコーダ１６によるデコード処理により現在地の緯度、経度データが得られ」るから、ＧＰＳデコーダ１６を含むＧＰＳブロック１８は、現在位置を測位するといえる。そうすると、引用発明における「ＧＰＳブロック１８（ＧＰＳデコーダ１６、ＧＰＳ無線部１７）」は、本願発明における「現在位置を測位する測位手段」に相当する。
　
イ　引用発明においては、所定の時間間隔毎の測位である「インターバル測位」が行われ、「受信された電波信号から、ＧＰＳデコーダ１６によるデコード処理により現在地の緯度、経度データが得られ、ＣＰＵ１１は、得られた現在地の緯度、経度データを確認し、ＲＡＭ１３に保持」するから、ＣＰＵ１１は、ＧＰＳデコーダ１６を含むＧＰＳブロック１８から得られた現在地の緯度、経度データを所定の時間間隔毎に取得するといえる。そうすると、引用発明における「インターバル測位」で「得られた現在地の緯度、経度データを確認し、ＲＡＭ１３に保持」する「ＣＰＵ１１」は、本願発明における「前記測位手段から測位結果を間欠的に取得するマイクロプロセッサ」に相当する。
　
ウ　携帯電話は使用者が携帯する端末装置であるから、上記ア、イを踏まえると、引用発明における「バス１０に接続されたＣＰＵ１１と、ＧＰＳブロック１８（ＧＰＳデコーダ１６、ＧＰＳ無線部１７）と、を備える、携帯電話」は、本願発明における「現在位置を測位する測位手段と、前記測位手段から測位結果を間欠的に取得するマイクロプロセッサと、を備え、使用者に携帯される携帯端末装置」に相当する。
　
エ（ア）バッテリ電圧はバッテリ残量（上記３（１）（ｃ）の段落【００５６】）を示すから、上記ウを踏まえると、引用発明における「ＣＰＵ１１は、電源制御部１９を通してバッテリ２０のバッテリ電圧Ｖを確認」することは、本願発明における「前記携帯端末装置が電源として備える電池の電力残量を検出する第１の過程」に相当する。
　
（イ）引用発明においては、「上記ステップＳ２７の判定にてＮＯ、すなわちバッテリ電圧Ｖがｘより小さい（Ｖ＜ｘ）場合は、ＣＰＵ１１は、バッテリ電圧Ｖがｘより小さくｙ以上（ｘ＞Ｖ≧ｙ）かを判定し（ステップＳ３１）、ＹＥＳ（ｘ＞Ｖ≧ｙである）であれば、さらにインターバル測位の測位間隔がＣ時間より短く設定されいるか否かを判定し（ステップＳ３２）、ＹＥＳ（Ｃ時間より短い）であれば、測位間隔をＣ時間に変更し（ステップＳ３３）、上記ステップＳ２８以降の処理に移行し、また、上記ステップＳ３１の判定にてＮＯ、すなわちバッテリ電圧Ｖがｘより小さくｙ以上（ｘ＞Ｖ≧ｙ）の範囲に入っていない場合は、さらに測位間隔がＤ時間より短く設定されているか否かを判定し（ステップＳ３５）、ＹＥＳ（Ｄ時間より短い）であれば、測位間隔をＤ時間に変更し（ステップＳ３５）、上記ステップＳ２８以降の処理に移行する（Ｄ＞Ｃとする）」から、ＣＰＵ１１は、当初に設定された測位間隔がＣ時間よりも短い場合に、バッテリ残量を示すバッテリ電圧が小さい（ｙ＞Ｖ）ときのインターバル測位の測位間隔（Ｄ時間）の方が、バッテリ電圧が大きい（ｘ＞Ｖ≧ｙ）ときのインターバル測位の測位間隔（Ｃ時間）よりも長くなるように、インターバル測位の測位間隔を設定するといえる。
　
（ウ）引用発明においては、「その設定後、ＧＰＳ無線部１７によりＧＰＳ電波信号が受信され測位が行われ（ステップＳ２３）、受信された電波信号から、ＧＰＳデコーダ１６によるデコード処理により現在地の緯度、経度データが得られ、ＣＰＵ１１は、得られた現在地の緯度、経度データを確認し、ＲＡＭ１３に保持し（ステップＳ２４）、測位結果を出力後、ＣＰＵ１１は、電源制御部１９を通してバッテリ２０のバッテリ電圧Ｖを確認し（ステップＳ２６）、バッテリ電圧Ｖがｘ以上（Ｖ≧ｘ）か否かを判定し（ステップＳ２７）、ＹＥＳ（Ｖ≧ｘである）の場合は、バッテリ電圧レベルは十分に残っていると判断し、現在の測位間隔の設定を変更することなく、インターバル測位の終了条件の満了判定を行い（ステップＳ２８）、ＮＯ（終了条件を満たしていない）の場合はタイマ２３の計時をスタートさせ（ステップＳ２９）、タイムアウトか否かを判定し（ステップＳ３０）、ＹＥＳ（タイムアウトである）と判定されると、ステップＳ２３に戻り再び測位を開始し、以後、上記と同様の処理を繰り返し実行」するから、インターバル測位の測位間隔は、ＣＰＵ１１が、得られた現在地の緯度、経度データを確認し、ＲＡＭ１３に保持する時間間隔になるといえる。
　
（エ）そして、上記イを踏まえると、ＣＰＵ１１が、得られた現在地の緯度、経度データを確認し、ＲＡＭ１３に保持する時間間隔は、ＣＰＵ１１が、（測位手段である）ＧＰＳブロック１８（ＧＰＳデコーダ１６、ＧＰＳ無線部１７）から（測位結果である）得られた現在地の緯度、経度データを取得する時間間隔であるといえるところ、ＣＰＵ１１は、「ＲＯＭ１２に格納された制御プログラム１２ｂを実行する」から、ＣＰＵ１１が、インターバル測位の測位間隔を設定することは、そのまま（測位手段である）ＧＰＳブロック１８（ＧＰＳデコーダ１６、ＧＰＳ無線部１７）から（測位結果である）得られた現在地の緯度、経度データを取得する時間間隔を設定することになっているといえる。
　
（オ）そうすると、引用発明における「ＣＰＵ１１がＲＯＭ１２に格納された制御プログラム１２ｂを実行することにより、ユーザ入力部１４によりインターバル測位の開始要求が出され（ステップＳ２１）、インターバル測位終了条件および測位間隔の設定（ステップＳ２２）が行われ、その設定後、ＧＰＳ無線部１７によりＧＰＳ電波信号が受信され測位が行われ（ステップＳ２３）、受信された電波信号から、ＧＰＳデコーダ１６によるデコード処理により現在地の緯度、経度データが得られ、ＣＰＵ１１は、得られた現在地の緯度、経度データを確認し、ＲＡＭ１３に保持し（ステップＳ２４）、測位結果を出力後、ＣＰＵ１１は、電源制御部１９を通してバッテリ２０のバッテリ電圧Ｖを確認し（ステップＳ２６）、バッテリ電圧Ｖがｘ以上（Ｖ≧ｘ）か否かを判定し（ステップＳ２７）、ＹＥＳ（Ｖ≧ｘである）の場合は、バッテリ電圧レベルは十分に残っていると判断し、現在の測位間隔の設定を変更することなく、インターバル測位の終了条件の満了判定を行い（ステップＳ２８）、ＮＯ（終了条件を満たしていない）の場合はタイマ２３の計時をスタートさせ（ステップＳ２９）、タイムアウトか否かを判定し（ステップＳ３０）、ＹＥＳ（タイムアウトである）と判定されると、ステップＳ２３に戻り再び測位を開始し、以後、上記と同様の処理を繰り返し実行し、上記ステップＳ２７の判定にてＮＯ、すなわちバッテリ電圧Ｖがｘより小さい（Ｖ＜ｘ）場合は、ＣＰＵ１１は、バッテリ電圧Ｖがｘより小さくｙ以上（ｘ＞Ｖ≧ｙ）かを判定し（ステップＳ３１）、ＹＥＳ（ｘ＞Ｖ≧ｙである）であれば、さらにインターバル測位の測位間隔がＣ時間より短く設定されいるか否かを判定し（ステップＳ３２）、ＹＥＳ（Ｃ時間より短い）であれば、測位間隔をＣ時間に変更し（ステップＳ３３）、上記ステップＳ２８以降の処理に移行し、また、上記ステップＳ３１の判定にてＮＯ、すなわちバッテリ電圧Ｖがｘより小さくｙ以上（ｘ＞Ｖ≧ｙ）の範囲に入っていない場合は、さらに測位間隔がＤ時間より短く設定されているか否かを判定し（ステップＳ３５）、ＹＥＳ（Ｄ時間より短い）であれば、測位間隔をＤ時間に変更し（ステップＳ３５）、上記ステップＳ２８以降の処理に移行する（Ｄ＞Ｃとする）、という処理が行われ、バッテリ残量に応じてインターバル測位の測位間隔を変更する、ＣＰＵ１１での処理の方法」は、
　本願発明における「前記マイクロプロセッサが前記測位手段から測位結果を取得する時間間隔を設定する方法であって、前記携帯端末装置が電源として備える電池の電力残量を検出する第１の過程と、前記第１の過程による検出結果が小さい残量を示すときの方が、該検出結果が大きい残量を示すときよりも、前記マイクロプロセッサが前記測位手段から測位結果を取得する時間間隔が長くなるように、前記電力残量に応じて前記時間間隔を設定する第２の過程と、を備えることを特徴とする携帯端末装置における測位結果取得間隔設定方法。」に相当する。
　
（２）上記（１）アないしエで対比したとおり、本願発明と引用発明との間に相違点は見出せない。
　
５　まとめ
　以上のとおり、本願発明は、引用例に記載された引用発明であるから、特許法第２９条第１項第３号に該当し、特許を受けることができない。
　
第４　むすび
　上記「第３」のとおり、本願発明は、引用例に記載された引用発明であるから、特許法第２９条第１項第３号に該当し、特許を受けることができない。
　したがって、他の請求項に係る発明について審理するまでもなく、本願は拒絶すべきものである。
　よって、結論のとおり審決する。